(57)【要約】【課題】  吊金具による軒樋の取付保持の作業が容易であって、しかも軒樋の取外しが必要な場合にはその作業も簡易であり、また建物側の軒樋後部からの垂れ水を未然に抑止することができ、軒樋の成形加工もより簡便とする。【解決手段】  磁着可能な金属製もしくは磁着可能な金属がインサートされた樹脂製の軒樋１をその前後の耳部１２、１１において吊金具２で保持する軒樋保持構造であって、軒樋の前後もしくはそのいずれかの耳部１２、１１を保持する吊金具２には永久磁石を有する磁着部２６が配設されて、軒樋耳部１２、１１の少くともいずれかが磁着保持可能とされている構造とする。【選択図】  図１
2011069100.tif 000002
【特許請求の範囲】
【請求項１】
磁着可能な金属製もしくは磁着可能な金属がインサートされた樹脂製の軒樋をその前後の耳部において吊金具で保持する軒樋保持構造であって、軒樋の前後もしくはそのいずれかの耳部を保持する吊金具には永久磁石を有する磁着部が配設されて、軒樋耳部が磁着保持可能とされていることを特徴とする軒樋保持構造。
【請求項２】
磁着部が吊金具の軒先取付部に配設されて軒樋後耳部を磁着保持可能としていることを特徴とする請求項１に記載の軒樋保持構造。
【請求項３】
軒樋の耳部には、吊金具の磁着部端に係止される屈曲係止部が設けられていることを特徴とする請求項１または２に記載の軒樋保持構造。
【発明の詳細な説明】
【技術分野】
【０００１】
本発明は軒樋を軒先において吊金具により取付保持するための軒樋保持構造に関するものである。
【背景技術】
【０００２】
従来、吊金具により軒樋を取付保持する場合、多くの場合、例えば図７に例示したように、軒樋１の後耳部１１を吊金具２の後耳支持部２１と抑えリブ２２とにより保持し、また、前耳部１２を吊金具２の前耳支持部２３によって保持するようにしている。
【０００３】
このような吊金具２による軒樋１の取付保持では、建物の軒先鼻隠し板等への吊金具２の固定から軒樋１の保持までの作業が必ずしも容易でないことから、これまでにも様々な工夫が試みられている。磁石の磁着力を利用した方策もその一つである。
【０００４】
例えば、図８に示したように、鼻隠し板５に取付けた金属固定板３に対し磁石仮止め部材２４をもって吊金具２を仮止め可能とすることが提案されている（特許文献１）。また、図９に示したように、吊金具２を鼻隠し板等に固定するに際し、永久磁石を配置した磁着部４１を有する座金４を吊金具２に仮止めして取付固定することも創案されている（特許文献２）。
【０００５】
しかしながら、これまでの様々な工夫にもかかわらず、前記図７の場合のような軒樋１の吊金具２への保持については、前耳部１２の保持は比較的簡易であるが、依然として、作業者にとっては奥目になる後耳部１１の後耳支持部２１と抑えリブ２２との間を通しての吊金具２への保持は作業がしづらい。しかも、軒樋１を取外すことが必要となった場合には、図７のリング状等の係止構造を持つ後耳部１１を吊金具２から取外すことは困難となり、場合によっては長尺の軒樋１を横方向にスライドさせて外さなければならない。また、後耳部１１の前記リング状等の係止構造によっては、軒樋１の後部が建物鼻隠し板から距離をとらざるを得ず、その結果、後耳部１１からの垂れ水の原因となることもある。
【０００６】
さらにまた、取付保持については比較的簡易な前耳部１２についても、後耳部１１とともにリング状等の複数の係止構造を持つ場合があり、軒樋の成形加工の点でより簡易な形状、構造とすることが望まれてもいた。
【先行技術文献】
【特許文献】
【０００７】
【特許文献１】特開平９−１１９２００号公報
【特許文献２】実用新案登録第２５９６２７６号公報
【発明の概要】
【発明が解決しようとする課題】
【０００８】
本発明は、以上のような背景から、従来の問題点を解消し、吊金具による軒樋の取付保持の作業が容易であって、しかも軒樋の取外しが必要な場合にはその作業も簡易であり、また建物側の軒樋後部からの垂れ水を未然に抑止することができ、軒樋の成形加工もより簡便とすることのできる新しい軒樋保持構造を提供することを課題としている。
【課題を解決するための手段】
【０００９】
本発明の軒樋保持構造は以下のことを特徴としている。
【００１０】
第１：磁着可能な金属製もしくは磁着可能な金属がインサートされた樹脂製の軒樋をその前後の耳部において吊金具で保持する軒樋保持構造であって、軒樋の前後もしくはそのいずれかの耳部を保持する吊金具には永久磁石を有する磁着部が配設されて、軒樋耳部が磁着保持可能とされている。
【００１１】
第２：前記磁着部が吊金具の軒先取付部に配設されて軒樋後耳部を磁着保持可能としている。
【００１２】
第３：前記軒樋の耳部には、吊金具の磁着部端に係止される屈曲係止部が設けられている。
【発明の効果】
【００１３】
前記第１の本発明によれば、吊金具に配設した磁着部による軒樋の磁着保持可能な構造であることから、従来のような複雑な保持、係止の構造とは相違して、吊金具による軒樋の取付保持の作業が容易となる。しかも軒樋の取外しが必要な場合にはその作業も簡易である。また建物側の軒樋後部からの垂れ水を未然に抑止することができ、軒樋の成形加工もより簡便とすることができる。
【００１４】
また、第２の発明によれば、磁着部の配設が容易であって、前記第１の発明の効果はより顕著なものとなる。
【００１５】
そして、軒樋の耳部に、吊金具の磁着部端に係止される屈曲係止部が設けられる前記第３の発明によれば、前記効果の実現とともに、磁着による保持に加えて、より安定で、確実な保持が可能となるだけでなく、磁着による保持が補助的であってもよい保持も可能となり、保持構造の設計自由度や作業簡易性はより向上したものとなる。
【図面の簡単な説明】
【００１６】
【図１】本発明の第１の実施形態を示した側面図である。
【図２】図１での吊金具２を示した斜視図である。
【図３】図１での軒樋１について従来との比較として示した側面図である。
【図４】本発明の第２の実施形態を示した側面図である。
【図５】本発明の第３の実施形態を示した側面図である。
【図６】図５での屈曲係止部１１Ａについて例示した部分側面図である。
【図７】従来の軒樋保持の構造を例示した側面図である。
【図８】従来の磁石仮止め部材を有する構造を例示した側面図である。
【図９】従来の磁着部を有する座金による吊金具の固定構造を例示した部分分解斜視図である。
【発明を実施するための最良の形態】
【００１７】
本発明の軒樋保持構造においては、軒樋は、その材料構成、材質の点においては、磁着可能な金属製もしくは磁着可能な金属がインサートされた樹脂製のものであって、吊金具に設けた永久磁石の磁着部に軒樋が磁着保持可能とされる。ここで磁着可能な金属とは鉄、あるいは鋼等の鉄合金、その他永久磁石によって磁化されて磁着可能な各種のものであってよい。軒樋は、これら磁着可能な金属の圧延や押出しプレス等の板金・成形加工によって製造されたもの、あるいはこれら磁着可能な金属のインサート樹脂成形によって製造されたものであってよい。
【００１８】
また、吊金具の磁着部に配置される永久磁石については、その磁石性能、コスト、そして建物の配置状況等を考慮して市販品をはじめとする各種のものであってよい。
【００１９】
以上のような軒樋と磁着部を有する吊金具とによる本発明の軒樋保持構造についての第１の実施形態を例示したのが図１の側面図である。
【００２０】
また、図２は図１の例示における吊金具２を示した斜視図である。
【００２１】
この実施形態では、吊金具２は、建物軒先の鼻隠し板５等に釘やビスにより取付固定するための軒先取付部２５の前面に、永久磁石を備えた板状の磁着部２６を有している。この磁着部２６には、軒樋１の平板状の後耳部１１が磁着されるようにしている。
【００２２】
軒樋１は、その前耳部１２が吊金具２の前耳支持部２３に係止保持されるとともに、平板状の後耳部１１が吊金具２の磁着部２６に磁着される。この保持構造では、吊金具２は、前記図７に示した後耳支持部２１並びに抑えリブ２２のような複雑な形状、構造を有していない。また軒樋１も、図７に示したリング状等の後耳部１１のような複雑な形状、構造を有していない。このため、軒樋１の平板状の後耳部１１の吊金具２への取付保持の作業は磁着部２６への磁着として極めて簡易である。また、軒樋１を取外す場合にも、これを下方にスライドさせるだけで磁着を解除できるのでその作業は極めて容易である。
【００２３】
吊金具２での磁着部２６の軒先取付部２５への固定は、釘、ビス等の固定手段や接着剤等の各種手段で容易に行うことができる。吊金具２の製造工程として、あるいは施工時の作業であってもよい。
【００２４】
従来では、図７のように、軒樋１の後耳部１１を保持するための複雑な形状、構造としての後耳支持部２１や、軒樋１のがたつきやはずれ防止のための抑えリブ２２が吊金具２に設けられている場合が多い。しかし、小さな後耳支持部２１では支持するための強度確保が問題となり、また抑えリブ２２については成形不良の原因となりやすい。
【００２５】
このような後耳支持部２１や抑えリブ２２を必要としない本発明の保持構造では、吊金具の形状、構造は簡素となり、その製造も容易となる。
【００２６】
また、軒樋１についても、図３に従来と比較して示したように、平板状の後耳部１１とすることで、従来に比べてその形状、構造ははるかに簡素であって、成形加工、製造は容易である。
【００２７】
しかもまた、軒樋１の後部を距離：Ｌのように後方に、つまり鼻隠し板側にずらせるので、軒樋１後部からの水垂れを抑制することも可能となる。
【００２８】
図４は、本発明の第２の実施形態を示した側面図である。この実施形態では、吊金具２の前耳支持部２３の頂部Ａ、前部Ｂ、そして底部Ｃの３箇所に永久磁石の磁着部２７を設けている。前耳支持部２３への、たとえばこのような磁着部２７の配設によって、軒樋１の前耳部の形状、構造はより簡素とすることができ、軒樋１の製造も簡便、容易となる。もちろん磁着部２７は、３箇所でなく、２箇所、あるいは１箇所であっても同様の効果が得られる。
【００２９】
図５は、さらに第３の実施形態を示した側面図である。吊金具２の前耳支持部２３の形状は図４の例示よりもさらに簡素とされている。また、吊金具２の板状の磁着部２６の上端に係止されるように、軒樋１の後耳部１１には屈曲係止部１１Ａが設けられている。この屈曲係止部１１Ａについては、図６に例示したように、ほぼ直角に屈曲されたものや、あるいはより鋭角的に屈曲されたもの等の各種の形態が考慮されてよいことは言うまでもない。
【００３０】
軒樋１がこのような屈曲係止部１１Ａを有する場合には、吊金具の磁着部２６による磁着に加えて、より安定して確実に軒樋１の保持が図られることになる。さらには屈曲係止部１１Ａの配設は、これによる係止に加え、場合によると補助的な磁着で、安定した、確実な軒樋保持も可能となる。
【００３１】
もちろん本発明の軒樋保持構造は前記形状の例示によって限定されることはない。吊金具２での磁着部２６、２７の配置位置や、それらの形状、そして、これに対応する軒樋の形状、構造にさらに様々な形態が可能とされることは言うまでもない。
【符号の説明】
【００３２】
１      軒樋
１１    後耳部
１１Ａ  屈曲係止部
１２    前耳部
２    吊金具
２１    後耳支持部
２２    抑えリブ
２３    前耳支持部
２４    磁石仮止め部材
２５    軒先取付部
２６    磁着部
２７    磁着部
３      金属固定板
４      座金
４１    磁着部
５      鼻隠し板
【図１】
2011069100.tif 000003
【図２】
2011069100.tif 000004
【図３】
2011069100.tif 000005
【図４】
2011069100.tif 000006
【図５】
2011069100.tif 000007
【図６】
2011069100.tif 000008
【図７】
2011069100.tif 000009
【図８】
2011069100.tif 000010
【図９】
2011069100.tif 000011